(57)【要約】【課題】遊技機における所定の入賞条件の達成を決定するため経過を一層趣向性に富んだ態様で遊技者に提示することが可能な技術を提供する。【解決手段】遊技球移動手段１５１が配置された入賞装置１０５を有する遊技機であって、遊技球移動手段１５１は、遊技球１０２に吸引力を作用する遊技球保持部１６１と、当該遊技球保持部１６１の外表面に部分的に被着され、遊技球保持部１６１に吸引された状態の遊技球１０２を移送する遊技球移送部１６５とを有することを特徴とする遊技機を構成する。【選択図】        図３
2004261351.tif 000002
【特許請求の範囲】
【請求項１】
遊技球移動手段が配置された入賞装置を有する遊技機であって、
前記遊技球移動手段は、遊技球に吸引力を作用する遊技球保持部と、当該遊技球保持部の外表面に部分的に被着され、前記遊技球保持部に吸引された状態の遊技球を移送する遊技球移送部とを有することを特徴とする遊技機。
【発明の詳細な説明】
【０００１】
【発明の属する技術分野】
本発明は、入賞装置を有する遊技機に関し、詳しくは遊技球による所定の入賞条件の達成を決定するための経過態様に工夫を講じることで遊技の趣向性を向上した遊技機に関する。
【０００２】
【従来の技術】
遊技機の一例として、所定の態様で駆動される入賞装置を有するパチンコ機の構成が特許文献１（特開平５−８４３４０号公報）に開示されている。この遊技機における入賞装置では、遊技球の流下過程において、着磁部と非着磁部とから構成されるとともに、駆動モータによって回転駆動される磁石部材を利用した遊技球移動手段が設定されている。この従来の遊技球移動手段では、着磁部と非着磁部とは、長尺の棒状体において相互に螺旋状に延在するように形成されている。
【０００３】
上記技術によれば、磁力による吸引力を遊技球に作用させる着磁部と、非着磁部とを螺旋状に組み合わせることで、入賞装置に導かれた遊技球の一部を吸引保持して移送可能に構成されるが、遊技球移動手段の長軸方向へと螺旋状に延在する着磁部を形成することは入賞装置の製造工程を複雑化することになり易い。この点を勘案すれば、所定の入賞条件の達成を趣向性に富んだ態様で提示することが可能である一方、遊技機の製造工程を可能な限り簡素化し、コストを低減することが可能な技術の開発が要請される。
【０００４】
【特許文献１】
特開平５−８４３４０号公報
【０００５】
【発明が解決しようとする課題】
本発明は、かかる点に鑑みてなされたものであり、製造が容易であるにもかかわらず、遊技機における所定の入賞条件の達成を決定するため経過を一層趣向性に富んだ態様で遊技者に提示することが可能な遊技機の構成技術を提供することを目的とする。
【０００６】
【課題を解決するための手段】
上記課題を達成するため、各請求項記載の発明が構成される。
請求項１に記載の発明によれば、遊技球移動手段が配置された入賞装置を有する遊技機が構成される。本発明に係る遊技球移動手段は、遊技球保持部と遊技球移送部とを有する。遊技球保持部は、遊技球に吸引力を作用する。また遊技球移送部は、遊技球保持部の外表面に部分的に被着され、遊技球保持部によって吸引された状態の遊技球を移送する。
【０００７】
本発明によれば、遊技球移送部を遊技球保持部の外表面に部分的に被着することで、遊技球の移動動作を容易に行なうことが可能であり、従来のように、複雑な形状の遊技球保持部を成形した上で遊技球移動手段に取付ける必要がなくなり、入賞過程において、遊技球移動手段を介して遊技球が移動動作されていく状態を遊技者に提示されることが可能な入賞装置を、格別のコスト増を招くことなく合理的に構築することが可能とされる。
【０００８】
なお遊技球移動手段の利用態様としては、入賞装置内において、当該遊技球移動手段よりも下流側に設けられた入賞決定装置へと遊技球を送り込む際に用いる態様、当該遊技球移動手段によって移動動作される遊技球のみが入賞球とされる態様（すなわち遊技球移動手段を入賞決定装置として用いる態様）、あるいは既に入賞が決定した遊技球を移動動作させる態様などがいずれも好適に採用可能である。
【０００９】
さらに本構成を有する遊技球移動手段の利用態様としては、例えば、封入式の筺体における球上げ機構部に採用する態様、盤面上の球上げ機構部に採用することでリプレイ機能を付与するといった態様、棚板の駆動部に採用することでワープ機能を付与し、あるいは通過口へのキャリアとして機能させるといった態様が可能である。
【００１０】
さらに上記発明の趣旨に鑑み、以下の態様が構成可能である。すなわち、
（態様１）
「請求項１に記載の遊技機であって、
前記遊技球保持部は、遊技球に吸引力を作用する着磁部として構成されていることを特徴とする遊技機。」
【００１１】
この態様によれば、上記遊技球移動手段における遊技球保持部につき、遊技球に吸引力を作用する着磁部として構成される。着磁部が遊技球に吸引力を作用する構成により、遊技球の保持が合理的に遂行されることとなる。とりわけ本態様によれば、着磁部として構成された遊技球保持部の外表面に遊技球移送部が被着されることで遊技球移動手段を形成することが可能であり、遊技球移送部との組合せのために着磁部を複雑な形状に成形する必要がなく、合理的な遊技機構築が可能となる。なお「着磁」の態様としては、全体を着磁体で構成する態様、少なくとも表面層を着磁体で形成する態様のいずれも好適に包含する。着磁部は、永久磁石、電磁石のいずれで形成してもよい。また着磁部における吸引力は、遊技球を保持することが可能な程度の磁力となるよう適宜に調整するのが好ましい。
【００１２】
（態様２）
「請求項１または態様１に記載の遊技機であって、
前記遊技球移送部は、非着磁部として構成されていることを特徴とする遊技機。」
【００１３】
この態様によれば、上記遊技球移動手段における遊技球移送部が非着磁部として構成される。具体的には、非着磁部は、遊技球保持部の外表面に部分的に被着されることにより、遊技球保持部によって保持された状態の遊技球を移送するよう構成するのが好ましい。この構成によれば、遊技球移送手段において、遊技球の保持を司る役割と、遊技球の移送を司る役割を各部に明確に分担させることにより、遊技球の円滑な移動動作が確保されることになる。この観点より、非着磁部における「非着磁」の態様としては、遊技球の吸引保持が困難となれば足りる趣旨であり、非磁性体で構成する場合のみならず、遊技球を吸引保持するに足らない程度の微小な磁力を有する磁性体で構成する場合も好適に包含するものとする。非着磁部の材質としては、例えば金属あるいは樹脂などを用いるのが好適である。
【００１４】
（態様３）
請求項１、態様１または態様２に記載の遊技機であって、
前記遊技球保持部と遊技球移送部とは相対的に摺動動作可能とされ、
遊技球は、前記遊技球保持部による吸引力の作用によって保持された状態を維持しつつ、前記遊技球保持部と前記遊技球移送部間の摺動動作に伴って前記遊技球移動手段上を移動可能に構成されていることを特徴とする遊技機。
【００１５】
この態様によれば、態様１に記載の遊技機における遊技球保持部と遊技球移送部とは、互いに相対的に摺動可能に構成される。そして遊技球は、遊技球保持部による吸引力の作用によって当該遊技球保持部に保持された状態を維持しつつ、遊技球保持部と遊技球移送部間の摺動動作に伴って、遊技球移動手段上を移動可能に構成される。典型的には、遊技球保持部に保持された状態の遊技球に対し、遊技球移送部が摺接することで摩擦力を作用させ、当該摩擦力によって遊技球が移動動作される態様がこれに該当する。なお遊技球保持部と遊技球移送部との摺動態様としては、両者が摺接した状態、および両者の間に微小隙間が形成された状態の双方を含む。また「相対的に摺動」の態様としては、固定状の遊技球保持部に対して遊技球移送部が摺動する態様、固定状の遊技球移送部に対して遊技球保持部が摺動する態様、遊技球保持部および遊技球移送部の双方が摺動動作される態様のいずれも好適に包含する。
【００１６】
この構成により、遊技球を吸引する遊技球保持部と、当該遊技球保持部との間での相対的な摺動動作によって遊技球を移動動作させる遊技球移送部とが、互いに合理的に協働し、簡素な構造にして確実な遊技球の移動動作が確保されることとなる。
【００１７】
（態様４）
態様３に記載の遊技機であって、
前記遊技球保持部は、所定の長軸方向に延在する長尺体として構成され、遊技球は、前記遊技球保持部と前記遊技球移送部間の摺動動作に伴って、当該遊技球保持部の長軸方向に移動可能に構成されることを特徴とする遊技機。
【００１８】
この態様によれば、態様３に記載の遊技機における遊技球保持部につき、所定の長軸方向に延在する長尺体として構成される。長尺体は、その長軸が直線状に延在するように形成してもよく、あるいは曲線状に延在するように形成してもよい。また、曲線状とする場合、着磁部の長軸方向となす角度が変化するように構成してもよい。遊技球は、遊技球保持部と遊技球移送部間の摺動動作に伴って、当該遊技球保持部の長軸方向に移動可能に構成される。これにより、遊技球が遊技球保持部の長軸方向へ移動していく態様を遊技者に提示し、趣向性に富んだ入賞過程を視認させることが可能とされる。
【００１９】
（態様５）
態様４に記載の遊技機であって、
前記遊技球保持部は長尺の棒状体として構成されるとともに、
前記遊技球移送部が当該遊技球保持部の周方向に摺動動作するよう構成されていることを特徴とする遊技機。
【００２０】
この態様によれば、態様４に記載の遊技機における遊技球保持部につき、長尺の棒状体として構成されるとともに、遊技球移送部が当該遊技球保持部の周方向に摺動動作するよう構成される。遊技球移送部が、棒状の遊技球保持部の周方向に摺動動作するため、遊技球保持部と遊技球移送部間の摺動作用が円滑に遂行されることとなる。
【００２１】
（態様６）
態様４または態様５に記載の遊技機であって、
前記遊技球移送部は、前記遊技球保持部の長軸方向と交差する方向に延在するよう構成され、
遊技球は、前記遊技球保持部と前記遊技球移送部間の摺動動作に伴って、前記遊技球移送部の周縁部との摺接により前記長軸方向に移動可能に構成されることを特徴とする遊技機。
【００２２】
この態様によれば、態様４または態様５に記載の遊技機における遊技球移送部につき、遊技球保持部の長軸方向と交差する方向に延在するよう構成される。そして遊技球は、遊技球保持部と遊技球移送部間の摺動動作に伴って、遊技球移送部の周縁部との摺接により、長軸方向に移動可能とされる。すなわち遊技球移送部が摺動動作するに従って、遊技球移送部における遊技球保持部との交差箇所が、遊技球を遊技球保持部の長軸方向へと押しやることにより、遊技球が遊技球保持部の長軸方向へと移動動作するよう構成されている。この構成により、遊技球保持部の長軸方向への遊技球の移動動作が一層合理的かつ円滑に遂行されることとなる。なお遊技球保持部の長軸方向に対する遊技球移送部の「交差角」については、遊技球の移動動作速度等の要素を考慮して適宜設定するのが好ましい。
【００２３】
（態様７）
態様６に記載の遊技機であって、
前記遊技球移送部は、前記遊技球保持部の長軸方向に向かって螺旋状に延在することを特徴とする遊技機。
【００２４】
この態様によれば、態様６に記載の遊技機における遊技球移送部につき、遊技球保持部の長軸方向に向かって螺旋状に延在するように構成される。この構成により、遊技球移送部と遊技球保持部の間で摺動動作が行われる際、遊技球移送部が遊技球保持部に対し摺動領域全体に渡って常時に交差可能とされるため、遊技球保持部の長軸方向への遊技球の押圧動作を継続的に作用させることが可能となり、遊技球の移動動作が一層合理的かつ円滑に遂行されることとなる。
【００２５】
（態様８）
態様７に記載の遊技機であって、
前記螺旋状の遊技球移送部表面は、遊技球の外表面に対応して曲面状に形成されていることを特徴とする遊技機。
【００２６】
この態様によれば、態様７に記載の遊技機における螺旋状の遊技球移送部表面は、遊技球の外表面に対応して曲面状に形成されている。例えば遊技球の外表面に対応した凹状の曲面部を形成するのが好ましい。この構成により、螺旋状の遊技球移送部表面が遊技球の外表面に面状に接触し、遊技球に摩擦力をしっかりと作用させることができるので、遊技球保持部の長軸方向への移動動作を一層確実に遂行することが可能とされる。
【００２７】
（態様９）
態様７または８に記載の遊技機であって、
前記螺旋状の遊技球移送部は、駆動モータにより前記遊技球保持部の回りを周方向に回転駆動されることを特徴とする遊技機。
【００２８】
この態様によれば、態様７または８に記載の遊技機における螺旋状の遊技球移送部は、駆動モータにより遊技球保持部の回りを周方向に回転駆動される。この構成により、遊技球移送部を遊技球保持部に対して確実に摺動動作させることが可能とされる。
【００２９】
（態様１０）
請求項１、または態様１から９までのいずれかに記載の遊技機であって、
前記遊技球移動手段によって移動される遊技球につき、当該遊技球移動手段と対向する側において挟持状に支持するガイド部がさらに設けられていることを特徴とする遊技機。
【００３０】
この態様によれば、請求項１、または態様１から９までのいずれかに記載の遊技機において、遊技球移動手段によって移動される遊技球につき、当該遊技球移動手段と対向する側において支持するガイド部がさらに設けられている。
【００３１】
例えば、遊技球移動手段によって遊技球を上下方向に移動動作させるような場合、遊技球の重量を遊技球保持部による吸引力によって支持する必要があるが、そうすると遊技球保持部の磁力を相応に強力なものとする必要があり、入賞部の設計に際しての制約となり得る。一方、本構成では、遊技球移動手段と対向する側において、遊技球をガイド部によって挟持状に支持することにより、遊技球保持部における遊技球の吸引作用を好適にアシストすることが可能とされ、遊技球保持部における磁力の補完作用を合理的に奏することが可能となる。さらに互いに対向状に配置される遊技球移動手段とデザインやカラーリングを共通化することで、入賞装置の意匠性を向上するのにも資することとなる。
【００３２】
なお、仮に遊技球保持部による遊技球の吸引を行なわず、単に遊技球の両側に挟着したガイド部による摩擦作用で遊技球を移動させる場合、ガイド部と遊技球の間のクリアランスの公差調整が困難であり、入賞装置の構成コストの低減要請に反することになり易い。一方、本構成では、遊技球保持部による吸引作用と、ガイド部による挟着支持作用とを協働させるため、ガイド部と遊技球の間のクリアランスが多少ラフであっても、遊技球保持部の吸引力の作用により遊技球の保持作用が確実に確保されるものであり、両者のメリットを最大限活用することができ合理的である。
【００３３】
（態様１１）
態様１０に記載の遊技機であって、
前記遊技球移動手段は、前記ガイド部に支持されつつ、遊技球を上下方向に移動可能に構成されていることを特徴とする遊技機。
【００３４】
この態様によれば、態様１０に記載の遊技機における遊技球移動手段は、ガイド部に支持されつつ、遊技球を上下方向に移動可能とされる。遊技球の重量を、遊技球保持部における磁力とガイド部の支持作用によって分担させる構成により、遊技球を上下方向に移動させる場合にも、当該遊技球を確実に保持した状態で上下に移動動作させることが可能とされる。
【００３５】
（態様１２）
請求項１、または態様１から１１までのいずれかに記載の遊技機であって、
前記遊技球移動手段による遊技球の移動態様に応じて所定の入賞条件が達成されるよう構成されていることを特徴とする遊技機。
【００３６】
この態様によれば、遊技球移動手段が配置された入賞装置を有するとともに、当該遊技球移動手段による遊技球の移動態様に応じて所定の入賞条件が達成されるよう構成された遊技機が提供される。遊技球の移動態様と入賞条件の達成との因果関係としては、遊技球移動手段による遊技球の移動先に入賞の可否決定手段がさらに配置される態様、遊技球移動手段によって遊技球が移動されるか否かによって入賞の可否が決定される態様等を好適に包含するものとする。また「所定の入賞条件」としては、典型的には、遊技球が非常に容易に入賞可能とされた所謂大当たり状態を獲得するための条件がこれに該当する。
【００３７】
【発明の実施の形態】
以下、本発明の実施の形態に係るパチンコ機１０１につき図面を参照しつつ詳細に説明する。このうちパチンコ機１０１の全体構成が図１に示され、パチンコ機１０１の電装システム構成が図２に示され、パチンコ機１０１の電動役物装置１０５における遊技球移動装置１５１の詳細な構成が図３から図５までに示される。なおパチンコ機１０１は、本発明における「遊技機」の一例である。図１に示すように、本実施の形態に係るパチンコ機１０１の遊技盤１０３の表面に形成された遊技領域１０４には、電動役物装置１０５、複数の始動口１０７、電動役物装置１０５への入賞口１０９、入賞口１０９を開閉するための開閉羽根１１１が、特に番号を付さない誘導釘、風車、一般入賞口といった周知の要素とともに、それぞれ適所に配置されている。電動役物装置１０５は、本発明における「入賞装置」に対応する。なお本発明の実施の形態に係るパチンコ機１０１は、いわゆる「第２種」と称呼されるタイプに類別される。
【００３８】
各始動口１０７には、便宜上特に図示しない始動口センサ（図２において符号１３５で示される）が設定され、当該始動口センサによって始動口１０７に遊技球が入賞したことが検出される。遊技球が始動口１０７に入賞した場合、遊技盤１０３の裏面側に配置された賞球装置（図３において符号１３３で示される）から所定数の賞球が払い出される。さらに始動口１０７への入賞に伴い、図２に示す電動役物装置１０５において、開閉羽根１５１が開放動作され、入賞口１０９が所定時間だけ開放動作される。さらに入賞口１０９から入賞した遊技球が、電動役物装置１０５内でＶ入賞した場合には、特に図示しないものの、電動役物装置１０５内に配置された図柄表示部において特別図柄が変動表示されるとともに、停止した特別図柄の組合せに基づいて大当たり状態となり、開閉羽根１５１が開放された状態が所定時間（および所定回数）継続されることとなる。
【００３９】
さらに上記遊技盤１０３の下方には上皿１１５が配置される。上皿１１５の背面側には、例えば遊技球入賞時、あるいは電動役物装置１０５にて各種の特別遊技状態を遂行する際の効果音を生じさせるためのスピーカが配置されている。さらに上皿１１５の下部には、発射ハンドル装置１１７、上皿１１５から送られる遊技球を貯留するための下皿１１９といった周知の要素が適宜配設されている。
【００４０】
本実施の形態に係るパチンコ機１０１の電装システムが図２に模式的に示される。図２に示すように、本実施の形態に係るパチンコ機１０１は、概略的に見て、ＡＣ電源に接続された電源装置１２１に中継基板１２３を介して接続されたメイン制御部１２５を主体として構成される。メイン制御部１２５内には、特に図示しないもののＣＰＵ、メモリ、入力処理回路および出力処理回路が適宜設定されている。さらにメイン制御部１２５には、始動口センサ１３５およびＶ入賞センサ１３７が接続され、各センサ１３５，１３７からの検知信号が適宜入力される。さらにメイン制御部１２５には、モータ１７１、表示制御部１３１、音制御部１２９、賞球制御部１２７がそれぞれ接続されている。また賞球制御部１２７には更に賞球の払出を実行する賞球装置１３３が接続されている。
【００４１】
モータ１７１は、メイン制御部１２５内に設けられた出力処理回路（特に図示しない）からの駆動制御信号に基づいて適宜通電駆動される。当該モータ１７１は、後述する遊技球移動装置１５１における着磁部１６１の駆動制御を行なう。
【００４２】
表示制御部１３１は、メイン制御部１２５内に設けられた通信制御回路からの制御信号に基づいて電動役物装置１０５の表示装置（便宜上、特に図示しない）の表示制御を行う。音制御部１２９は、同じくメイン制御部１２５内に設けられた通信制御回路からの制御信号に基づいて上記スピーカの音声出力を制御する。
【００４３】
賞球制御部１２７は、その内部にＣＰＵおよび入出力ポート等を備え、電源装置１２１から電源供給を受けて駆動されるとともに、始動口センサ１３５およびＶ入賞センサ１３７からの検出信号を受けたメイン制御部１２５からの適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００４４】
本実施の形態における電動役物装置１０５内には、図３から図５までにその構造が模式的に示された遊技球移動装置１５１が設置されている。図３は遊技球移動装置１５１の全体構成、図４は遊技球移動装置１５１に用いられる非着磁部１６５の構成、図５は図３に示す遊技球移動装置１５１の平面構成をそれぞれ示す。遊技球移動装置１５１は、本発明における「遊技球移動手段」に対応する。
【００４５】
遊技球移動装置１５１は、入賞口１０９（併せて図１参照）に連接された下部棚板１５３、当該下部棚板１５３と平行に延在する上部棚板１５５、下部棚板１５３と上部棚板１５５の間を鉛直方向に連接する遊技球上動部１６０、遊技球上動部１６０と並行して鉛直方向に延在するガイド部１８１を主体として構成される。
【００４６】
下部棚板１５３は、図３に示すように入賞口１０９に連接されるとともに、当該入賞口１０９と対向する端部側において一般入賞部１５７に連接される。また上部棚板１５５には、図５に示すように遊技球通過孔１５６が穿設され、当該遊技球通過孔１５６には、遊技球上動部１６０とガイド部１８１に挟持されて上動動作する遊技球１０２が臨むように配置構成される。また図３に示すように上部棚板１５５の一方の端部は特別入賞部１５９に連接される。
【００４７】
遊技球上動部１６０は、鉛直方向に延在する断面円形の棒状体として構成された着磁部１６１と、当該着磁部１６１の外周部に巻き付きながらその長軸方向１６３へと螺旋状に延在する非着磁部１６５を主体として構成される。着磁部１６１は本発明における「遊技球保持部」に対応し、非着磁部１６５は本発明における「遊技球移送部」に対応する。非着磁部１６５は、その下端側に止着された被動ギア１７５が、モータ１７１の駆動ギア１７５に噛み合い係合することにより、着磁部１６１の長軸方向１６３回りに回転駆動される。このとき着磁部１６１は固定静止状とされており、非着磁部１６５が着磁部１６１の長軸方向１６３回りに回転駆動されることで、非着磁部１６５の着磁部１６６に対する交差部１６６が、着磁部１６６の外表面を斜め上方へと相対的に上動動作されることになる。
【００４８】
ガイド部１８１は、図５に示すように遊技球１０２を受承し、当該遊技球１０２の外周部に係合可能に凹状に形成され、遊技球上動部１６０との間で遊技球１０２を挟持状に保持する。
【００４９】
本実施の形態に係るパチンコ機１０１は上記のように構成される。次に当該パチンコ機１０１の作用について説明する。図１に示すパチンコ機１０１において、発射ハンドル装置１１７を介し、遊技盤１０３表面の遊技領域１０４に射出された遊技球が始動口１０７のいずれかに入賞すると、当該入賞した遊技球が図２に示す始動口センサ１３５によって検出される。これにより始動口センサ１３５からの検出信号がメイン制御部１２５に送られる。メイン制御部１２５は、賞球制御部１２７に制御信号を出力し、当該賞球制御部１２７は始動口１０７への入賞に応じた数の賞球を賞球装置１３３に払い出させる。またこの賞球払い出し情報はホールコンピュータ１４１に対しても出力される。
【００５０】
さらに始動口１０７への遊技球の入賞に基づき、メイン制御部１２５は電動役物装置１０５における開閉羽根１５１を開放動作させる。開閉羽根１５１が開放動作することで入賞口１０９が開放されて遊技球１０２の入賞が容易な状態が実現される。一方、開閉羽根１５１が閉鎖動作することで入賞口１０９が閉鎖されて遊技球１０２の入賞が困難な状態が実現される。開閉羽根１５１が開放動作することで開放された入賞口１０９に入賞した遊技球１０２は、図３に示す遊技球移動装置１５１における下部棚板１５３に送られる。
【００５１】
下部棚板１５３に送られた遊技球１０２の一部は、遊技球上動部１６０における着磁部１６１に吸引されるとともに、当該着磁部１６１の外周回りに回転駆動される非着磁部１６５の着磁部１６１に対する交差部１６６の摩擦力を介し、着磁部１６１の長軸方向１６３へと上動動作されることとなる。この結果、遊技球上動部１６０によって上動動作された遊技球１０２は図５に示す遊技球通過孔１５６を通じて上部棚板１５５に送られ、特別入賞部１５９に入賞することが許容される。
【００５２】
このときガイド部１８１は、遊技球上動体１６０との間で遊技球１０２を挟持状に支持しつつ、その上動動作をガイドする。従って、遊技球１０２の重量を全て着磁部１６１の吸引力で保持する必要がないため、着磁部を大型化する必要がなく合理的である。
【００５３】
上記電動役物装置１０５において、遊技球１０２が遊技球上動部１６０を介して上部棚板１５５へと送られ、これによって特別入賞部１５９に入賞した場合（例えばＶ入賞等とも称呼される）、特に図示しないものの電動役物装置１０５内に配置された図柄表示部において特別図柄が変動状に表示されるとともに、停止した特別図柄の組合せにも基づいて大当たり状態が遊技者に付与される。この大当たり状態では、上記した開閉羽根１１１が所定の時間経過、あるいは所定個数の遊技球の入賞に至るまで開放動作されて、遊技者は入賞が非常に容易な遊技条件にて遊技を遂行することが可能とされる。
【００５４】
一方、上記した遊技球上動部１６０によって上部棚板１５５に送られることなく下部棚板１５３に滞留した遊技球１０２は、暫時遊動状に滞留した上で、当該下部棚板１５３に連接した一般入賞部１５７に入賞するよう構成される。
この時、下部棚板１５３に滞留中の遊技球１０２が、着磁部１６１の吸引作用によって遊技球上動部１６０に捕捉され、上部棚板１５５側の特別入賞部に入賞するか、あるいは遊技球上動部１６０に捕捉されることなく下部棚板１５３側の一般入賞部に入賞するかが暫時判明しにくい状態が得られるので、特別入賞に対する遊技者の期待感を高めることが可能である。
【００５５】
本実施の形態によれば、電動役物装置１０５において、遊技球の入賞条件の達成を決定するための経過を一層趣向性に富んだ態様で遊技者に提示することが可能となり、遊技の趣向性を向上することが可能となった。しかも遊技球上動装置１６０では、棒状の着磁体をもって着磁部１６１となし、かかるシンプルな構造の着磁部１６１の外周部に螺旋状の非着磁部１６５を組み合わせることで遊技球移動装置１５１を構築することができる。すなわち、従来のように、例えば着磁部を螺旋状に形成することで遊技球移動手段を構成するといった必要がなくなり、装置の製造コストの低減に資することとなる。
【００５６】
（変更例）
本実施の形態の変更例につき、図６を参照して説明する。この変更例は、上記実施の形態で説明した遊技球移動装置１５１における非着磁部１６５（図３参照）の構成変更に係る。具体的には、図６に示すように、遊技球移動装置２５１における非着磁部２６５につき、固定状とされた棒状の着磁部２６１の外周部に配置されるとともに、当該着磁部２６１の周方向に回転駆動される螺旋状体として構成するとともに、さらに非着磁部２６５の交差部２６６につき、遊技球１０２の外形形状に対応した曲面部２６６ａとして形成する。
【００５７】
この構成により、下部棚板２５３における遊技球１０２は、着磁部２６１に吸引保持されつつ、当該着磁部２６１の回りを摺動状に回転する非着磁部２６５の交差部２６６との摩擦作用によって上動し、上部棚板１５５へと移送されていくことになる。このとき非着磁部２６５の交差部２６６における曲面部２６６ａが、遊技球１０２の外表面に面状に接触し、遊技球に摩擦力をしっかりと作用させることができるので、当該遊技球移動装置２５１による遊技球の移動動作を確実化することが可能とされる。
【００５８】
なお上記実施の形態、およびその変更例では、長尺棒状の着磁部１６１（２６１）に螺旋状の非着磁部１６５（２６５）が部分的に組み合わされる構成により、着磁部１６１（２６１）が部分的に外部に露出する態様とされている。この点につき、例えば非着磁部１６１（２６１）につき、これを中空の長尺棒状（例えば円筒状）として成形するとともに、その外表面を部分的に肉厚とし、当該肉厚箇所が着磁部１６１（２６１）の長軸方向に向かって螺旋状に延在する構成を採用してもよい。換言すれば、長尺棒状の非着磁部を筒状に形成するとともに、当該筒状体の外周面において肉厚部と肉薄部とが長軸方向に向かって螺旋状に組み合わされるように形成する構成が採用可能である。この場合、当該非着磁部の肉厚部が本発明における「遊技球保持部」に対応する。
【００５９】
この場合、非着磁部の中空部に着磁部を配置することにより、当該着磁部の吸引力は、非着磁部の肉薄部を通じて遊技球に作用することとなる。この結果、遊技球は、中空状に形成された非着磁部の中空部内に配された着磁部の吸引力により、肉薄部領域に吸引保持されることとなる。従って、このような場合、非着磁部の肉薄部の肉厚については、遊技球の吸引保持に十分な程度の吸引力が確保されるよう適宜に設定される。なお、この場合、肉厚部および肉薄部よりなる非着磁部は着磁部の全体に被着されるものの、肉薄部は着磁部の吸引力を阻害するものではないため、かかる構成についても、本発明における「非着磁部が着磁部に部分的に被着される」という構成に包含されるものとする。
【００６０】
このように構成すれば、上記実施の形態、およびその変更例のように、螺旋形状の非着磁部１６５（２６５）を成形する必要がなく、中空筒状体の外表面に螺旋状の溝を形成することで、容易に非着磁部を形成することができるため、製造コストおよび組付け性を向上することが可能である。
【００６１】
【発明の効果】
本発明によれば、遊技機における所定の入賞条件の達成を決定するため経過を一層趣向性に富んだ態様で遊技者に提示することが可能な遊技機の構成技術が提供されることとなった。
【図面の簡単な説明】
【図１】本発明の実施の形態である遊技機の構成を正面視にて示す。
【図２】本発明の実施の形態に係る遊技機のシステム構成を示すシステムブロック図である。
【図３】本実施の形態における遊技球移動装置の全体構成を模式的に示す。
【図４】図３に示す遊技球移動装置に用いられる非着磁部の構成を示す。
【図５】図３に示す遊技球移動装置の構成を平面視にて示す。
【図６】本発明の実施形態の変更例に係る遊技球移動装置の全体構成を斜視図として示す。
【符号の説明】
１０１  パチンコ機
１０２  遊技球
１０３  遊技盤
１０４  遊技領域
１０５  電動役物装置（入賞装置）
１０７  始動口
１０９  入賞口
１１１  開閉羽根
１１５  上皿
１１７  発射ハンドル装置
１１９  下皿
１２１  電源装置
１２３  中継基板
１２５  メイン制御部
１２７  賞球制御部
１２９  音制御部
１３１  表示制御部
１３３  賞球装置
１３５  始動口センサ
１３７  Ｖ入賞センサ
１３９  モータ
１４１  ホールコンピュータ
１５１  遊技球移動装置（遊技球移動手段）
１５３  下部棚板
１５５  上部棚板
１５６  遊技球通過孔
１５７  一般入賞部
１５９  特別入賞部
１６１  着磁部（遊技球保持部）
１６３  長軸方向
１６５  非着磁部（遊技球移送部）
１６６  交差部
１７１  着磁部駆動モータ
１７３  駆動ギア
１７５  被動ギア
１８１  ガイド部
【図１】
2004261351.tif 000003
【図２】
2004261351.tif 000004
【図３】
2004261351.tif 000005
【図４】
2004261351.tif 000006
【図５】
2004261351.tif 000007
【図６】
2004261351.tif 000008